(57)【要約】【課題】長期間に渡って薬液を劣化させずして保管することが可能であるとともに、筒先に流入する薬液や血液を良く観察することができ、さらに注射後の薬液の残留を防止することが可能な容器兼用注射器を提供する。【解決手段】容器兼用注射器１において、筒先３の嵌着穴３ｄ内にてシリンダ２の先端開口を気密液密に覆うとともに、ルアー先３ａ内に穿設された連通孔３ｆとシリンダ２内とを連通させる貫通孔７ｅが形成されたラバーパッキン７と、連通孔３ｆの先端側から挿入され貫通孔７ｅを閉塞するゴム製部材８とを設け、ラバーパッキン７を薬液に対して耐食性のある弾性体で形成する。【選択図】図２
2009219855.tif 000002
【特許請求の範囲】
【請求項１】
円筒状をなすガラス製のシリンダと、該シリンダ内の後端側に液密に嵌入されたストッパーと、透明な合成樹脂材料で形成されて基端側の嵌着穴を介して前記シリンダの先端外周に外嵌され、先端側に注射針が取り付けられるとともにシリンダ内に連通する連通孔が形成されたルアー先を備えた筒先と、前記シリンダの後端に設けられたフィンガーグリップと、前記シリンダの後端側からシリンダ内に挿入されて前記ストッパーに連結されたプランジャロッドとが備えられた容器兼用注射器において、
前記嵌着穴内にて前記シリンダの先端開口を気密液密に覆うとともに、前記連通孔と前記シリンダ内とを連通させる貫通孔が形成されたラバーパッキンと、
前記連通孔の先端側から挿入され前記貫通孔を閉塞する密栓部材とが設けられるとともに、
前記ストッパーと前記ラバーパッキンとが薬液に対して耐食性のある弾性体で形成されており、前記シリンダ内におけるこれら前記ストッパーと前記ラバーパッキンとの間に前記薬液が充填されていることを特徴とする容器兼用注射器。
【請求項２】
前記ラバーパッキンにおける前記貫通孔の周縁が前記連通孔内に延びて、該連通孔の内周面を覆っていることを特徴とする請求項１に記載の容器兼用注射器。
【請求項３】
前記ストッパー及び前記ラバーパッキンがブチルゴム製であることを特徴とする請求項１又は２に記載の容器兼用注射器。
【請求項４】
前記密栓部材がブチルゴム製であることを特徴とする請求項１から３のいずれか一項に記載の容器兼用注射器。
【請求項５】
前記密栓部材が、前記薬液に対する耐食性を有する合成樹脂製であることを特徴とする請求項１から３のいずれか一項に記載の容器兼用注射器。
【請求項６】
前記合成樹脂は、ポリプロピレン、環状ポリオレフィン、環状ポリオレフィンコポリマーのいずれかであることを特徴とする請求項５に記載の容器兼用注射器。
【請求項７】
前記シリンダの前端部が該シリンダの径方向内側に向かって延びることにより、前記シリンダの先端開口部が縮径しており、
前記ラバーパッキンが、前記シリンダの前端部の全域に接触して、前記シリンダの先端開口を気密液密に覆っていることを特徴とする請求項１から６のいずれか一項に記載の容器兼用注射器。
【発明の詳細な説明】
【技術分野】
【０００１】
本発明は、薬液を予め充填、保管しておき使用時に包装から取り出して直ぐに使用することが可能な容器兼用注射器に関する。
【背景技術】
【０００２】
容器兼用注射器は、予め薬液が充填されているため、医療機関において煩雑な操作をすることなく、包装から取り出して直ぐに使用できるので、利便性に優れ、医師や看護師等の医療業務に携わる者の作業の軽減に大変に役立ち、このため、多くの病医院で採用されている。
【０００３】
この容器兼用注射器としては、シリンダと、該シリンダ内の前後端側に嵌入され、シリンダ内に充填された薬液を液密に封止する前部ストッパー及び後部ストッパーと、シリンダの先端に嵌着され、前部ストッパーが入り込むバイパスチャンバー及びその先端の注射針を取り付けるためのルアー先が設けられた筒先と、シリンダの後端に嵌着されたフィンガーグリップと、シリンダの後端部からシリンダ内に挿入されて後部ストッパーに連結されたプランジャーロッドとを備えたものが知られている（例えば、特許文献１、特許文献２参照）。
【０００４】
使用時には、プランジャーロッドによって後部ストッパーを押して薬液と共に前部ストッパーを前方へ押し進めると、該前部ストッパーがシリンダから押し出されて筒先のバイパスチャンバー内に入り込む。これによって、前後部ストッパー間に密封されていた薬液が、先端側の密封を解除されてシリンダ内からバイパスチャンバー内に流出し、この薬液が前部ストッパーとバイパスチャンバーとの隙間を流れ、該バイパスチャンバーの内壁に設けられたバイパス溝に沿ってルアー先の内面に誘導されて注射針へと導入されるようになっている。
【０００５】
また、未使用時おいては、薬液はシリンダ内において前部及び後部ストッパーとの間に充填、保存されている。ここで、シリンダはガラス製であるとともに前部及び後部ストッパーはブチルゴム製であり、これら材質は薬液に対して化学的に安定であることが実証されているため、当該薬液を保存する容器として安心して用いることができる。したがって、薬液が劣化することはなく、容器兼用注射器を長期に亘って保管することができるようになっている。
【０００６】
さらに、従来の容器兼用注射器においては、シリンダと前部及び後部ストッパーとは気密液密に嵌合されているので、その中に充填、密封された薬液は空気中の酸素から何ら影響を受けない。
また、シリンダの内壁には均一に、かつ必要最少限度の量のシリコーンオイルが高温で焼き付けられているので、長時間保存した後であっても前部及び後部ストッパーはシリンダ内で滑らかに摺動することができる。なお、このようなシリコーンオイルが焼き付けられる際には、同時に２５０℃以上の高温で加熱できるため、シリンダは乾熱滅菌されパイロジェンフリー、エンドトキシンフリーとすることができる。
以上は、プラスチック製シリンダでは成し得ないガラス製シリンダの特徴である。
【０００７】
一方、筒先としてガラス製のものを用いた場合、以下のような短所がある。
即ち、注射針を取り付けるルアー先は、その外径は直径４ｍｍ前後、軸の中心には直径１．０〜１．２ｍｍの流出口を設けなければならないが、ガラス製の場合には筒先の先端を溶解成形してその形状、寸法を規格通りに成形することは非常に難しいことであり熟練した技術が必要である。
また、ガラスで成形された筒先及びルアー先は外径が４ｍｍと細いため、少しの力や衝撃でも折れやすく製造が困難である。注射時の取扱いの際にも、筒先が折れないように取扱いには細心の注意を払わなければならない。
さらに、注射針を取り付けた場合、ガラス製の筒先は当該ガラスの性質上滑り易く、注射中などに注射針が針基ごと筒先から抜けてしまうことがある。特に外筒にシリコーン処理をした場合にあっては、僅かでもシリコーンオイルが付着すると注射針の取り付けの際に滑り易くなり、当該注射針が抜け易くなってしまう
【０００８】
したがって、従来の容器兼用注射器では、上記のような短所のあるガラス製の筒先の使用を避け、プラスチック製の筒先を採用している。
筒先をプラスチックで成形した場合、設計の自由度は高く、ルアーロックのような複雑で難しい形状であっても金型さえできれば成形が可能である。しかも材質の選択によって、丈夫で耐衝撃性を備えた筒先を作ることが可能となる。
また、材質に多少の弾性があるため、注射針を取り付けた場合であっても注射針の針基との接合に材質上の安定感があり、注射中に注射針が簡単に抜けるようなことは無い。この際、ルアーロック部を備えた筒先であればさらに一体感を高めることができ安心度が高い。
【０００９】
以上のように、従来の容器兼用注射器においては、ガラス製とプラスチック製の材質的な良さを使用の目的等に応じて組み合わせることによって、安全で使い勝手の良い容器兼用注射器を実現している。
【特許文献１】特公昭６２−５８７４５号公報
【特許文献２】特開平８−１４１０８１号公報
【発明の開示】
【発明が解決しようとする課題】
【００１０】
ところで、一般に、薬液を注射器によって直接体内の必要な部位に注入する医療行為である注射には、その薬剤の種類や効能、あるいは使用目的などによって穿刺部位が定められており、例えば、静脈注射、動脈注射、皮下注射、皮内注射などの種類に分かれている。
従って、万一、穿刺部位を誤れば重大な医療事故を招来することは明らかで、このような危険を未然に防止するために、医療の現場では、注射針を穿刺した後、即座に薬液を注入せず、一度軽くプランジャーロッドを手元方向へ引き、注射器内を陰圧にする。これによって、もし、注射針の刃先が血管内にあれば、血液がわずかに注射器内へ流入（フラッシュバック）してくるので、刃先が血管内にあることが確認でき、この手技は一般にナースアスピレーションといわれている。
この手技を行うには、注射針に陰圧をかけた際に、注射器内への血液等の逆流の有無や、その色状などを目視で即座に確認できなければならず、このためには注射器の筒先において流入の有無、色状などが容易に確認できることが必要となる。
また、このようなナースアスピレーションに限られず、注射器内に別の医薬品を吸引して２種以上の医薬品を混合して注射する混注を行う場合にも、注射器の筒先において薬液の流入が確認できることが望まれる。
【００１１】
しかしながら、上記のような従来の容器兼用注射器においては、前部ストッパーの存在によって、ナースアスピレーション及び混注時における血液及び薬液の流入の有無や色状を目視で確認できる空間的余裕がほとんどなくなってしまい、こうした事情から安全な注射をする上で改善が必要とされていた。
【００１２】
一方、プランジャーロッドを完全に押し込んでシリンダ内の薬液を注射針側に導入したとしても、バイパスチャンバー内のバイパス溝等が薬液の残留を許容してしまうため、患者に投薬されない無駄な薬液が生じてしまうという問題があった。
【００１３】
この発明は、このような課題に鑑みてなされたものであって、従来の容器兼用注射器と同様に安全で使い勝手が良く、長期間に渡って薬液を劣化させずして保管することが可能であるとともに、筒先に流入する薬液や血液を良く観察することができ、さらに注射後の薬液の残留を防止することが可能な容器兼用注射器を提供することを目的とする。
【課題を解決するための手段】
【００１４】
前記課題を解決するため、この発明は以下の手段を提案している。
即ち、本発明に係る容器兼用注射器は、円筒状をなすガラス製のシリンダと、該シリンダ内の後端側に液密に嵌入されたストッパーと、透明な合成樹脂材料で形成されて、基端側の嵌着穴を介して前記シリンダの先端外周に外嵌され、先端側に注射針が取り付けられるとともにシリンダ内に連通する連通孔が形成されたルアー先を備えた筒先と、前記シリンダの後端に設けられたフィンガーグリップと、前記シリンダの後端側からシリンダ内に挿入されて前記ストッパーに連結されたプランジャロッドとが備えられた容器兼用注射器において、前記嵌着穴内にて前記シリンダの先端開口を気密液密に覆うとともに、前記連通孔と前記シリンダ内とを連通させる貫通孔が形成されたラバーパッキンと、前記連通孔の先端側から挿入され前記貫通孔を閉塞する密栓部材とが設けられるとともに、前記ストッパーと前記ラバーパッキンとが薬液に対して耐食性のある弾性体で形成されており、前記シリンダ内におけるこれら前記ストッパーと前記ラバーパッキンとの間に前記薬液が充填されていることを特徴としている。
【００１５】
これにより未使用時における容器兼用注射器内の薬液は、僅かながら密栓部材に接触する他は、ガラス製のシリンダと、薬液に対して耐食性のあるストッパー及びラバーパッキンとによって封入されることになる。
よって、薬液は、いずれも当該薬液に対して化学的に安定であり溶出等が生じることのないシリンダ、ストッパー及びラバーパッキンによって囲われることになるため、長期間に渡って容器兼用注射器を保管したとしても薬液の品質が劣化するようなことはない。
また、このように容器兼用注射器内の薬液は先端側がラバーパッキン及び密栓部材で液密に保持されており、使用時には密栓部材を除くのみで薬液をルアー先の連通路を介して注射針へと導入することができるため、簡易な構成でもって薬液の保持及び導入を行うことが可能となる。
したがって、従来の容器兼用注射器におけるバイパスチャンバーや前部ストッパーのような特別な構成要素を設ける必要がないため、筒先内の視認が妨げられたり、注射後の薬液の残留が許容されることはない。
【００１６】
また、本発明に係る容器兼用注射器においては、前記ラバーパッキンにおける前記貫通孔の周縁が前記連通孔内に延びて、該連通孔の内周面を覆っていることを特徴としている。
使用時には注射器内の薬液が筒先の連通孔を通過して注射針に導入されることになるが、この際、連通孔の内周面が耐食性のあるラバーパッキンで覆われており、薬液は当該ラバーパッキン内を通過することになる。したがって、当該薬液を劣化させずして品質を維持したまま注射針に導入することが可能となる。
【００１７】
また、本発明に係る容器兼用注射器においては、前記ストッパー及び前記ラバーパッキンがブチルゴム製であることが好ましい。
ブチルゴムは薬液に対する良好な安定性を示し耐食性が高いため、長期間に渡って薬液と接触しても薬液に悪影響を及ぼすことはなく、薬液の品質の維持を図ることができる。
【００１８】
また、本発明に係る容器兼用注射器においては、前記密栓部材がブチルゴムからなることを特徴としている。
薬液に対する耐食性の高いブチルゴム製の密栓部材を用いることで、薬液に影響を及ぼさない部材のみで当該薬液を封入することができるため、薬液の品質の劣化を効果的に抑制し、より長期間に亘って容器兼用注射器を保管することが可能となる。
【００１９】
さらに、本発明に係る容器兼用注射器においては、前記密栓部材が、前記薬液に対する耐食性を有する合成樹脂製であってもよい。
未使用時の保管状態においては薬液は僅かながら密栓部材に接触するが、該密栓部材が耐食性を供えた合成樹脂で成形されているため、薬液に対する影響を最小限に抑えることができ当該薬液の品質を維持することが可能となる。
【００２０】
また、本発明に係る容器兼用注射器においては、上記合成樹脂はポリプロピレン、環状ポリオレフィン樹脂、環状ポリオレフィンコポリマーのいずれかであることを特徴としている。
これらの合成樹脂は薬液に対して化学的に安定で高い耐食性を示すため、薬液の劣化を抑制することが可能となる
【００２１】
さらに、本発明に係る容器兼用注射器は、前記シリンダの前端部が該シリンダの径方向内側に向かって延びることにより、前記シリンダの先端開口部が縮径しており、前記ラバーパッキンが、前記シリンダの前端部の全域に接触して、前記シリンダの先端開口を気密液密に覆っていることを特徴とする。
このような特徴の容器兼用注射器によれば、ラバーパッキンとシリンダの前端部との接触面積が大きくすることができるため、シリンダ内の薬液の気密液密性を向上させることができ、薬液が漏洩したり外気がシリンダ内に侵入したりすることをより確実に防止することが可能となる。
【発明の効果】
【００２２】
本発明の容器兼用注射器によれば、薬液を、ガラス製のシリンダ、ストッパー及びラバーパッキンのいずれも薬液に対して耐食性のある部材で封入することができるため、薬液を劣化させずして長期間に亘って保管することが可能となる。
また、筒先内の視認を妨げる部材がないため、筒先に流入する薬液や血液の流入の観察を容易とし、ナースアスピレーション及び混注を円滑に行うことできるとともに、使用後における薬液の残留を防止することが可能となる。
【発明を実施するための最良の形態】
【００２３】
以下、本発明の実施の形態に係る容器兼用注射器について、図面を参照して詳細に説明する。
図１は実施形態に係る容器兼用注射器の側断面図、図２は図１における先端付近の部分拡大図である。
【００２４】
図１に示すように、容器兼用注射器１は、シリンダ２と、該シリンダ２の前端（図１で左側）の外周部に外嵌された筒先３と、シリンダ２の後端（図１で右側）の外周部に嵌着された合成樹脂製のフィンガーグリップ４と、シリンダ２内に充填された薬液ｍを後端側から封止するストッパー５と、シリンダ２内に後端側から挿入されて先端部がストッパー５に連結され、該ストッパー５をシリンダ２の軸線方向に往復動させるプランジャロッド６とを備えている。
さらに、当該容器兼用注射器１は、筒先３内にてシリンダ２の前端を覆うラバーパッキン７と、筒先３の先端に設けられたルアー先３ａに挿入されるゴム製キャップ８とが備えられている。
【００２５】
シリンダ２は、透明なガラス製の円筒形状をなしており、その内部には薬液ｍが充填されるとともに当該薬液ｍを後端側から封入するようにして、ストッパー５が嵌入されている。
【００２６】
ストッパー５は、シリンダ２の内径より僅かに大きな外径を有する円柱形状をなし、薬液に対して耐食性のある弾性体、例えば医療用医薬品用のゴム（本実施形態ではブチルゴム）から形成されている。このストッパー５は、シリンダ２の軸線方向中央部からやや後端側に位置するように該シリンダ２内に嵌入されている。
【００２７】
筒先３は、詳しくは図２に示すように、適度な剛性を備えた透明な合成樹脂から構成された外形二段円柱状をなしており、円筒状の基端部３ｂと、該基端部３ｂの前側に結合された比較的小径のルアー先３ａと、該ルアー先３ａの径方向外側に間隔を空けて基端部３ｂの前側に結合されたルアーロック部３ｃとを備えている。
【００２８】
上記基端部３ｂの内側には有底状の嵌着穴３ｄが形成されており、該嵌着穴３ｄをシリンダ２の先端外周部に外嵌させることにより、筒先３がシリンダの前端部に気密液密に取り付けられている。
また、ルアー先３ａはその外周面は先端側に向かうに従って縮径するテーパ外周面３ｊとされているとともに、該ルアー先３ａ内を軸線に沿って前後に貫通して３ｄの底部３ｅに連通する連通孔３ｆが穿設されている。
さらに、上記ルアーロック部３ｃには、後述のゴム製キャップ８又は図示しない注射針の針基を係止するためのロックネジ３ｇが形成されている。
【００２９】
なお、上記シリンダ２の先端外周部にはリング状の突起２ａが設けられており、該突起２ａが筒先３の嵌着穴３ｄの前端側に形成されたリング状溝３ｉに嵌合されることにより、筒先３がシリンダ２の先端に気密液密に嵌着されている。
同様にシリンダ２の後端外周部には、図１に示すように、リング状の突起２ｂが設けられており、該突起２ｂがフィンガーグリップ４の円筒孔部４ａに形成されたリング状溝４ｂに嵌合することによって、フィンガーグリップ４がシリンダ２に強固に取り付けられている。
なお、該フィンガーグリップ４はシリンダ２に別途取り付ける構成の他、シリンダ２２と一体に形成されたものであってもよい。
【００３０】
そして、本実施形態においては、上記のような筒先３の嵌着穴３ｄ内にて、シリンダ２の先端側開口を覆うラバーパッキン７が設けられている。
該ラバーパッキン７は、医療用医薬品用のゴム（本実施形態においてはブチルゴム）からなり、外径が上記シリンダと略同一に形成された円盤部７ａと、該円盤部７ａの中央から上記ルアー先３ａの連通孔３ｆ内に向けて突出するように延びる突出部７ｂとから構成されている。
【００３１】
上記円盤部７ａのシリンダ２後端側を向く面は、その外縁部７ｃから中央に向かって緩やかに傾斜するようにして凹み、注射終了時にストッパー５が当接する当接面７ｄとされている。また、このラバーパッキン７には、円盤部７ａの中央及び突出部７ｂ内を軸線に沿って貫通する貫通孔７ｅが穿設されており、該貫通孔７ｅは上記当接面７ｄの中央に開口されている。
【００３２】
このような構成のラバーパッキン７は、シリンダ２に筒先３が外嵌されるに際して、円盤部７ａの外縁部７ｃが、シリンダ２の前端部２ｃと筒先３における嵌着穴３ｄの底部３ｅとに挟まれることにより固定され、シリンダ２の先端開口部を覆っている。
このようにして、シリンダ２内部と筒先３とをラバーパッキン７により気密液密に隔てることで、シリンダ２内に充填される薬液ｍが筒先３の嵌着穴３ｄ及び底部３ｅに直接的に接触することがないようにされている。
なお、外縁部７ｃは、筒先３とシリンダ２との嵌合を気密液密に保持することの補助ともなって、内部の薬液ｍが漏洩したり外気が侵入したりすることを二重に防止する役割を果たしている。
【００３３】
また、ラバーパッキン７が筒先３内にて固定される際には、その突出部７ｂがルアー先３ａの連通孔３ｆ内に侵入し、突出部７ｂの先端外周に設けられた突起７ｆがルアー先３ａの連通孔３ｆに形成された係合部３ｈに係合する。これにより、ラバーパッキン７の突起部７ｂが連通孔３ｆに対して、例えば後述するゴム製キャップ８の挿入部８ｂの挿入等によってずれることがないよう不動に固定されている。
なお、本実施形態においては、上記突出部７ｂはルアー先３ａ内の連通孔３ｆの全長の例えば略４分の１の長さに形成されている。
【００３４】
ゴム製キャップ８は、医療用医薬品用のゴム（本実施形態においてはブチルゴム）からなり、その後端側に凹んで形成されたテーパ凹部８ａが、ルアー先３ａのテーパ外周面３ｊにテーパ嵌合することによって、筒先３先端に取り付けられている。
また、ゴム製キャップ８におけるテーパ凹部８ａの底部からは、該テーパ凹部８ａの開口に向かって棒状に延びて、ゴム製キャップ８が筒先３に取り付けられた際に連通孔３ｆに挿入される挿入部８ｂが形成されており、該挿入部８ｂの先端はテーパ状に縮径する密栓部８ｃとされている。
そして、筒先３に取り付けられる際には、ルアー先３ａの連通孔３ｆ内にて、密栓部８ｃがラバーパッキン７の突出部７ｂにおける貫通孔７ｅの先端開口に嵌り込み、当該貫通孔７ｅを閉塞するようになっている。
【００３５】
以上のように構成された容器兼用注射器１においては、未使用時には薬液ｍがシリンダ２に充填され、筒先３の先端にゴム製キャップ８が取り付けられた状態とされている。この状態において薬液ｍが直接的に接触するのは、シリンダ２、ストッパー５、ラバーパッキン７及び密栓部８ｃのみとなる。
ここで、シリンダ２はガラス製であるとともに、ストッパー２、ラバーパッキン７及び密栓部８ｃは医療用医薬品用のゴム、即ちブチルゴムから構成されており、これらはいずれも薬液ｍに対して化学的に安定で耐食性があり、長期間に亘って薬液ｍと接触したとしても当該薬液ｍに溶出物等で影響を与えるようなことはない。
したがって、このように薬液ｍをこれら耐食性のある部材のみによって封入することにより、該薬液ｍの品質を劣化させることなく長期間に渡って容器兼用注射器１を保管することが可能となる。
【００３６】
また、未使用時には薬液ｍはシリンダ２の先端側においてはラバーパッキン７と密栓部８ｃによって封止され、さらに、使用時においては、ゴム製キャップ８を取り外すことのみをもって、先端側に薬液ｍを導入することができるため、従来から用いられているシリンダ２及び筒先３に特別な加工を施さずとも簡易な構成でもって薬液ｍの保持及び導入を行うことが可能となる。
従って、例えば、バイパスチャンバーや前部ストッパーのような特別な構成要素を設ける必要がないため、筒先３内の視認が妨げられることはない。
よって、ナースアスピレーションや混注を行う際に、血液及び薬液の逆流の有無や、その色状などを目視で確認することが容易となるため、注射準備作業をより円滑に行うことが可能となる。
【００３７】
さらに、上述のようにバイパスチャンバーや前部ストッパーがないため注射後における薬液の残留を許容する余地はなく、また、プランジャロッド６を押し込んでストッパー５をシリンダ２先端まで移動させた際には、該ストッパー５がラバーパッキン７の当接面７ｄに当接して互いに弾性変形しながら密着するため、シリンダ２内に薬液ｍを全く残留させずして先端側に導入することが可能となる。
【００３８】
以上、本発明である容器兼用注射器１の実施形態について詳細に説明したが、本発明の技術的思想を逸脱しない限り、これらに限定されることはなく、多少の設計変更等も可能である。
【００３９】
例えば第一変形例として、図３に示すような容器兼用注射器１であってもよい。この第一変形例は実施形態の容器兼用注射器１よりもラバーパッキン７における突出部７ｂの長さが長く形成されている。
即ち、実施形態のラバーパッキン７の突出部７ｂの長さが連通孔３ｆの４分の１の長さであるのに対して、変形例においては、連通孔３ｆの略３分の２程の長さを備えた長尺突出部７ｇが設けられている。
注射時においては、薬液ｍはラバーパッキン７の貫通孔７ｅ、ルアー先３ａの連通孔３ｆ内に接触しながら注射針に導入されることになるが、この変形例のように突出部７ｂを長く形成すると、薬液ｍが直接的にルアー先３ａの連通孔３ｆに接触する時間を短くすることができるため、当該薬液ｍを品質を完全に維持したまま注射針に導入することが可能となる。
なお、突出部７ｂ及び長尺突出部７ｄは上記の長さに限られず、適宜変更することも可能である。
【００４０】
また、第二変形例として、実施形態のゴム製キャップ８に代えて、例えば図４に示すような合成樹脂製キャップ１０を設けたものであってもよい。この合成樹脂製キャップ１０は、例えば、ポリプロピレン、環状ポリオレフィン、環状ポリオレフィンコポリマー等の薬液に対し安定性のある合成樹脂で成形されており、ゴム製キャップ８と同様に、テーパ凹部１０ａ、挿入部１０ｂ及び密栓部１０ｃを備えている。
また、ゴム製キャップ８と異なり、ある程度の剛性を備えているとともに成形が容易であるため、テーパ凹部１０ａの開口外周部には径方向外側に向かって突出し、ルアーロック部３ｃのロックネジ３ｇと螺合可能な螺合突起１０ｄが形成されている。
【００４１】
この合成樹脂性キャップ１０は、テーパ凹部１０ａがルアー先３ａのテーパ外周面３ｊとテーパ嵌合するとともに、螺合突起１０ｄがロックネジ３ｇに螺合することにより、筒先３の先端に強固に取り付けることができる。したがって、強度及び耐衝撃性を向上させることができ、不用意に合成樹脂性キャップ１０が外れて薬液ｍが漏出することを防止することが可能となる。
また、合成樹脂性キャップ１０が筒先３に取り付けられた際には、密栓部１０ｃが貫通孔７ｅを閉塞し、当該密栓部１０ｃが薬液ｍに直接的に接触することになる。ここで、ポリプロピレン、環状ポリオレフィン樹脂、環状ポリオレフィンコポリマーは、いずれも薬液ｍに対する良好な耐食性を示す。したがって、合成樹脂性キャップ１０の密栓部１０ｃが薬液ｍに悪影響を与えることはない。よって、第二の変形例に係る容器兼用注射器１も長期に亘って保管することが可能となる。
なお、図４においては、ラバーパッキン７は上記の長尺突出部７ｄを備えたものとなっているが、これに限られず実施形態と同様に通常の突出部７ｂを備えたものであってもよい。
【００４２】
また、第三変形例として、実施形態におけるゴム製キャップ８に代えて、例えば図５に示すように、密栓ゴム１１と該密栓ゴム１１を固定する固定キャップ１２とが備えられたものであってもよい。
密栓ゴム１１は、医療用医薬品用のゴム（例えばブチルゴム）からなり、ラバーパッキン７の貫通孔７ｅを閉塞するためにルアー先３ａの連通孔３ｆに挿入される。そして、このように挿入された密栓ゴム１１を固定するように、例えば合成樹脂等の剛性を備えた材質からなり、テーパ凹部１２ａと螺合突起１２ｄとを備えた固定キャップ１２が筒先３先端に取り付けられている。
【００４３】
この第三変形例においては、薬液ｍがラバーパッキン７の貫通孔７ｅの先端において接触する密栓ゴム１１は医療用医薬品用のゴム（例えばブチルゴム）であるため、実施形態と同様に、薬液ｍを該薬液ｍに対して化学的に安定で耐食性がある材質のみで密封することができる。さらに、固定キャップ１２は、テーパ凹部１２ａによるテーパ嵌合及び螺合突起１２ｄによる螺合によって筒先３先端に強固に取り付けられる。
したがって、実施形態と同様に薬液ｍを劣化させずして長期に亘って保管することができるとともに、強度及び耐衝撃性を向上させて薬液ｍの漏出を防止することが可能となる。
【００４４】
また、第四変形例として、例えば図６に示すように、ラバーパッキン７において突出部７ｂが成形されてないものであってもよい。
このようなラバーパッキン７において合成樹脂性キャップ１０を用いた場合には、挿入部１０ｂがルアー先３ａの連通孔３ｆの開口付近まで延び、密栓部１０ｃがラバーパッキン７の貫通孔３ｅを閉塞することになる。
この第四変形例においては、薬液ｍを劣化させずして保管可能である他に、成形が容易であるという特徴がある。
また、図６では合成樹脂性キャップ１０を用いているが、実施形態のようにゴム製キャップ８を用いてもよいし、第三変形例のように密栓ゴム１１と固定キャップ１２とを併用したものであってもよい。
【００４５】
さらに、第五変形例の第一例として、例えば図７に示すように、シリンダ２の前端部２ｃが該シリンダ２の径方向内側に向かって延びることにより、シリンダ２の先端開口部が縮径しているものであってもよい。なお、この第五変形例は、図２に示した実施形態の容器兼用注射器１に対応し、図７において図２と同様の構成要素には同一の符号を付して詳細な説明を省略している。
【００４６】
この第五変形例においては、ラバーパッキン７がシリンダ２の径方向内側に延びる前端部２ｃの全域に接触してシリンダ２の先端開口を気密液密に覆っていることから、ラバーパッキン７とシリンダ２の前端部２ｃとの接触面積を大きくすることができる。これにより、シリンダ２内の薬液ｍの気密液密性を向上させて、薬液ｍが漏洩したり外気がシリンダ２内に侵入したりすることをより確実に防止することが可能となる。
【００４７】
また、同様にシリンダ２の先端開口部が縮径しているものとして、例えば図８及び図９に示す第五変形例の第二、第三例の容器兼用注射器１であってもよい。これら第五変形例の第二例及び第三例はそれぞれ上記第三変形例、第四変形例に対応している。さらに、図示は省略するが、第二変形例に対応するように、シリンダ２先端開口部が縮径しているものであってもよい。
これによっても、上記同様、シリンダ２内の薬液ｍの気密液密性を向上させることができ、薬液ｍの漏洩や外気の侵入をより確実に防止することが可能となる。
【図面の簡単な説明】
【００４８】
【図１】本発明の実施形態に係る容器兼用注射器の側断面図である。
【図２】図１における要部拡大図である。
【図３】第一変形例の要部を示す図である。
【図４】第二変形例の要部を示す図である。
【図５】第三変形例の要部を示す図である。
【図６】第四変形例の要部を示す図である。
【図７】第五変形例に係る第一例の要部を示す図である。
【図８】第五変形例に係る第二例の要部を示す図である。
【図９】第五変形例に係る第三例の要部を示す図である。
【符号の説明】
【００４９】
１    容器兼用注射器
２    シリンダ
２ｃ   前端部
３    筒先
３ａ  ルアー先
３ｂ  基端部
３ｃ  ルアーロック部
３ｄ  嵌着穴
３ｆ  連通孔
４    フィンガーグリップ
５    ストッパー
６    プランジャロッド
７    ラバーパッキン
７ｅ  貫通孔
８    ゴム製キャップ（密栓部材）
８ｃ  密栓部
１０  合性樹脂製キャップ（密栓部材）
１０ｃ       密栓部
１１  密栓ゴム（密栓部材）
１２  固定キャップ
【図１】
2009219855.tif 000003
【図２】
2009219855.tif 000004
【図３】
2009219855.tif 000005
【図４】
2009219855.tif 000006
【図５】
2009219855.tif 000007
【図６】
2009219855.tif 000008
【図７】
2009219855.tif 000009
【図８】
2009219855.tif 000010
【図９】
2009219855.tif 000011